(57)【特許請求の範囲】
【請求項１】
地盤を掘削して所要長さに亘り露出させた既設流体管において、前記流体管の切断部位近傍の上下流に位置して配設され、前記切断部位を不断水状態で切断する際に生じる切り屑を捕獲し、回収する切り屑回収装置であって、
外周を形成する屈曲自在の弾性帯片と該帯片の周囲に取着された柔軟性ネットから成る網部と、
該網部が端部に取り付けられ、前記流体管周壁に形成した開口を通して該開口外の密封室と開口内の前記流体管内との間で前記網部を移動させる操作パイプとで構成され、
前記網部が流体管内に挿入されたときは前記弾性帯片が流体管内壁に密着し、前記柔軟性ネットが管軸方向に所定の奥行きをもって装架されることを特徴とする不断水切断装置における切り屑回収装置。
【請求項２】
前記管軸方向に奥行きをもって装架されている柔軟性ネットは、前記操作パイプの内部を通して操作可能に設けられた副操作装置により前記弾性帯片の幅程度に収納可能である請求項１に記載の不断水切断装置における切切り屑回収装置。
【請求項３】
前記弾性帯片の少なくとも一部が磁力体で構成されている請求項１または２に記載の不断水切断装置における切切り屑回収装置。
【請求項４】
前記弾性帯片の磁力体で構成されている部分は、前記網部が流体管内に挿入されたときに下方部となる部分である請求項３に記載の不断水切断装置における切切り屑回収装置。
【発明の詳細な説明】
【０００１】
【発明の属する技術分野】
本発明は、地盤を掘削して所要長さに亘り露出させた既設流体管を不断水状態で切断する際に生じる切り屑を捕獲し、回収する切り屑回収装置に関する。
【０００２】
【従来の技術】
従来の流体管を密封状態で切断する不断水切断装置は、図５に示すように、地盤を掘削して所要長さに亘り露出させた既設流体管の切断部位を密封ケーシング０２により囲み、この密封ケーシング０２で覆われた切断機０３で構成されている。流体管の不断水切断装置における切り屑回収方法は、切断時に生じた密封ケーシング０２の底面に落下した切り屑が、底部に備え付けのドレーンバルブ０４から管内の水圧を利用してドレーンパイプ０５を介して排出できるようになっている。また、穿孔切断完了後にケーシング０２内に残った切り屑はスイーパー工法によって外部に排出していた。
【０００３】
【発明が解決しようとする課題】
しかしながら、このような従来の切り屑回収方法はある程度の切り屑は排出できるが、落下しきれない切り屑は主流にのって本管内を流れてしまう恐れがあり、また、切断完了後のスイーパー工法においても、管内流速によっては下流側に切り屑が流されてしまうことがあった。
【０００４】
このため、流体管の切断箇所近傍にフィルタ部材を密封状態で挿入するようなことも考えられるが、フィルタ部材に切り屑を残さず取り込んで回収することが困難であり、需要箇所の変動により水流の向きが変わると、今まで捕獲していた切り屑がたちまち離散してしまい実用上問題があった。
【０００５】
本発明は、上記課題に鑑みてなされたもので、流体管の切断時に余分な切り屑が流体管内に混入することがなく、確実に外部に取り出すことができる不断水切断装置における切り屑回収装置を提供することを目的としている。
【０００６】
【課題を解決するための手段】
上記課題を達成するために、本発明は地盤を掘削して所要長さに亘り露出させた既設流体管において、前記流体管の切断部位近傍の上下流に位置して配設され、前記切断部位を不断水状態で切断する際に生じる切り屑を捕獲し、回収する切り屑回収装置であって、
外周を形成する屈曲自在の弾性帯片と該帯片の周囲に取着された柔軟性ネットから成る網部と、
該網部が端部に取り付けられ、前記流体管周壁に形成した開口を通して該開口外の密封室と開口内の前記流体管内との間で前記網部を移動させる操作パイプとで構成され、
前記網部が流体管内に挿入されたときは前記弾性帯片が流体管内壁に密着し、前記柔軟性ネットが管軸方向に所定の奥行きをもって装架されることを特徴としている。
この特徴によると、網部が屈曲自在の弾性帯片と柔軟性ネットで構成されているので、開口からの挿脱が容易であり、また、柔軟性ネットが管軸方向に奥行きをもって構成されているので、切り屑が多くても残さず取り込むことができる。
【０００７】
本発明の不断水切断装置における切り屑回収装置は、前記管軸方向に奥行きをもって装架されている柔軟性ネットは、副操作装置により前記弾性帯片の幅程度に収納可能であることが好ましい。
このようにすれば、網部を待避させるときは収納状態にし、切り屑を捕獲する時は、切り屑を確実にとらえることができるように管軸方向に奥行きをもたせることで、切り屑を残さず取り込んで容易に回収することができる。
【０００８】
本発明の不断水切断装置における切り屑回収装置は、前記弾性帯片の少なくとも一部が磁力体で構成されていることが好ましい。
このようにすれば、弾性帯片の磁力作用で切り屑を確実に捕獲できる。
【０００９】
本発明の不断水切断装置における切り屑回収装置は、前記弾性帯片の磁力体で構成されている部分は、前記網部が流体管内に挿入されたときに下方部となる部分であることが好ましい。
このようにすれば、重力の作用で落ちてくる切り屑を効率よく捕獲できる。
【００１１】
【発明の実施の形態】
以下、本発明の不断水切断装置における切り屑回収装置について、図１及び図２を参照して説明する。図１は流体管に切断工具を組付けた切断前の不断水切断装置の待機状態を示す側面図、図２は本発明の切り屑回収装置であって、（ａ）はその部分正面断面図で、（ｂ）その部分斜視図である。
【００１２】
図１において、１は、地盤２を掘削して所要長さに亘り露出させた切断対象である既設流体管、例えばスチール製の水道管であって、上昇位置にセットされている、例えばホールソー等の切断工具３を下降させることにより切断される。切断工具３は切断時に不断水状態で切断できるように密封ケーシング４により囲まれている。ここで、ホールソー等の切断工具３は、本発明を実施する為の「不断水切断装置」を構成する。
【００１３】
切り屑回収装置５は、操作パイプ６から成る操作部と網部７で構成され、流体管１の切断部位近傍の上下流に位置する２箇所Ｐ１，Ｐ２に配置されている。この切り屑回収装置５を２箇所設ける理由は、水の需要箇所が変動して水流の向きが変化しても、どちらかの切り屑回収装置５、５にかならず切り屑を捕獲するためである。そして切断前のセット状態においては、操作パイプ６により網部７が仕切弁８の上部の切り屑回収ハウジング９内に配設されている。
【００１４】
更に切り屑回収装置５の詳細について、図２（ａ）、（ｂ）に基づいて説明すると、操作パイプ６の端部に取り付けられている網部７は、外周を規定する屈曲自在の弾性帯片１０とこの帯片の周囲に取着された柔軟性ネット１１で構成されている。
【００１５】
弾性帯片１０は２ピースで構成され、一方端１０ａが操作パイプ６の先端で枢動運動できるように固着され、他方端１０ｂは操作パイプ６に摺動自在なスライダパイプ１２の拡径部１２ａに枢動運動できるように固着されている。またこの拡径部１２ａの頂部にはパイプハウジング１３と密封嵌合のためのシールリング１４が取り付けられている。
【００１６】
図２（ｂ）に示すように、操作パイプ６の内部にピン１５が挿入固定され、副操作手段としての操作ロープ１６が、外部から操作パイプ６を通りピン１５を経由してその先端が柔軟性ネット１１に取り付けられている。また、操作パイプ６と柔軟性ネット１１間にはコイルバネ１７が張設されていて、柔軟性ネット１１が流体管１内に挿入されたときに、柔軟性ネット１１が常に管軸方向に奥行きをもって装架されるようになっている。
【００１７】
したがって、操作ロープ１６を外部からコイルバネ１７に抗して牽引すると、管軸方向に奥行きをもって装架されている柔軟性ネット１１は弾性帯片１０と同程度の幅に収縮できる。
【００１８】
次に、本発明の不断水切断装置における切り屑回収装置の作動について図３及び図４に基づき説明する。図３は網部を流体管に挿入する前の待機状態を示したもので、（ａ）は側断面図であり、（ｂ）は（ａ）のＡ−Ａ断面図である。図４は網部を流体管に挿入したときの捕獲状態を示したもので、（ａ）は側断面図であり、（ｂ）は（ａ）のＢ−Ｂ断面図である。
【００１９】
図３は網部７が切り屑回収ハウジング９の中に納められた状態にあり、図３（ａ）に示すように、柔軟性ネット１１は操作ロープ１６の牽引によりコイルバネ１７が圧縮されて、弾性帯片１０と同程度の幅に収縮した状態にある。操作ロープ１６の操作端は操作パイプ６から密封栓（図示せず）を介して導出し、その先端リング部１６ａが操作パイプ６に形成した突出係合ピン６ｂに引っ掛けられている。
【００２０】
図３の待機状態では、切り屑回収ハウジング９とパイプハウジング１３を繋ぐ部分は仕切弁８で流体の連通が遮断されている。この状態から網部７を流体管１に挿入して切り屑を回収するために、仕切弁８が図４に示すように開放される。
【００２１】
仕切弁８が開かれると、操作パイプ６の取っ手６ａを持って操作パイプ６を押し下げると、網部７全体が流体管１の開口１ａを通して押し下げられ、操作パイプ６はやがて底部に到達する。この位置では一対の弾性帯片１０は先端がパイプハウジング１３に突出していて流体管１の断面形状である円形にまで至っていない。
【００２２】
そこで、スライダパイプ１２のノブ１２ｂを下方に押し込むと、一対の弾性帯片１０はスライダパイプ１２の拡径部１２ａによって押圧され、最終的に流体管１の円形断面に密着するように円形形状になる。このとき拡径部１２ａ上部に設けたシールリング１４がややテーパ状に形成してあるパイプハウジング１３の内面に嵌合する。このスライダパイプ１２の位置を保持するために、スライダパイプ１２は切り屑回収ハウジング９の頂部に設けた支持枠体２０或いは操作パイプ６に対して移動不能なロック機構を設けると作業性がよい。
【００２３】
一対の弾性帯片１０が流体管１の円形断面に密着するように円形形状となったあと、操作ロープ１６の先端リング部１６ａを突出係合ピン６ｂより外すと、図４（ａ）に示すようにコイルバネ１７が伸張し、柔軟性ネット１１が管軸方向に奥行きをもって装架される状態となる。
【００２４】
流体管１の切断部位近傍の上下流に位置する２箇所Ｐ１，Ｐ２に配置した切り屑回収装置５の網部７がそれぞれ図４に示した捕獲位置にセットされた後、切断工具３を下降させることにより流体管１が不断水状態で切断される。このとき生成される切り屑は柔軟性ネット１１内に捕獲される。
【００２５】
従来のようにフィルタにより切り屑を捕獲するのと違い、柔軟性ネット１１が管軸方向に奥行きを持って装架されているから、確実に捕獲できるばかりでなく、柔軟性ネットを引き上げるときも切り屑がこぼれ落ちることが少ない。また、需要の変動で水流の方向が変わっても、切断部位近傍の上下流に位置する２箇所Ｐ１，Ｐ２に切り屑回収装置５が配置してあるので、どちらかの柔軟性ネット１１に切り屑が捕獲されることになる。
【００２６】
また、本発明に使用している弾性帯片１０を磁石の如く磁力が作用する磁力体で構成しておくと、スチール管等の切り屑を弾性帯片１０で吸引捕獲することができる。この場合、弾性帯片の下方部だけに磁石を埋め込むようにすると、重力の作用で落ちてくる切り屑を効率よく捕獲できる。
【００２７】
柔軟性ネット１１や弾性帯片１０で捕獲した切り屑を回収するには、先ほどの手順と逆の手順を行えばよく、先ず操作ロープ１６を牽引してコイルバネ１７を圧縮し、柔軟性ネット１１を弾性帯片１０と同程度の幅に収縮させ、その状態を維持させるために操作ロープ１６のリング部１６ａを突出係合ピン６ｂに引っ掛ける。
【００２８】
その後、スライダパイプ１２のロック機構を外し上方に引き上げることで、シールリング１４をパイプハウジング１３に対する嵌合から解放する。シールリング１４が解放された後は、更に、操作パイプ１６もスライダパイプ１２と共に引き上げることで、網部７は切り屑回収ハウジング９内に収納される。図３に示す如く網部７が仕切弁８を通過した後は、仕切弁８を閉止して切り屑回収装置５を取り外すことができる。
【００２９】
【発明の効果】
本発明は以下の効果を奏する。
【００３０】
（ａ）請求項１項の発明によれば、網部がが屈曲自在の弾性帯片と柔軟性ネットで構成されているので、開口からの挿脱が容易であり、また、柔軟性ネットが管軸方向に奥行きをもって構成されているので、切り屑が多くても残さず取り込むことができる。
【００３１】
（ｂ）請求項２項の発明によれば、網部を待避させるときは収納状態にし、切り屑を捕獲する時は、切り屑を確実にとらえることができるように管軸方向に奥行きをもたせることで、切り屑を残さず取り込んで容易に回収することができる。
【００３２】
（ｃ）請求項３項の発明によれば、弾性帯片の磁力作用で切り屑を確実に捕獲できる。
【００３３】
（ｄ）請求項４項の発明によれば、重力の作用で落ちてくる切り屑を効率よく捕獲できる。
【図面の簡単な説明】
【図１】流体管に切断工具を組付けた切断前の不断水切断装置の待機状態を示す側面図である。
【図２】本発明の切り屑回収装置であって、（ａ）はその部分正面断面図で、（ｂ）その部分斜視図である。
【図３】網部を流体管に挿入する前の待機状態を示したもので、（ａ）は側断面図であり、（ｂ）は（ａ）のＡ−Ａ断面図である。
【図４】切り網部を流体管に挿入したときの捕獲状態を示したもので、（ａ）は側断面図であり、（ｂ）は（ａ）のＢ−Ｂ断面図である。
【図５】従来の流体管を密封状態で切断する不断水切断装置における切り屑回収方法の説明図ある。
【符号の説明】
１                        既設流体管（流体管）
１ａ                      開口部
２                        地盤
３                        切断工具
４                        密封ケーシング
５                        切り屑回収装置
６                        操作パイプ
６ａ                      取っ手
６ｂ                      突出係合ピン
７                        網部
８                        仕切弁
９                        切り屑回収ハウジング
１０                      弾性帯片
１０ａ                    一方端
１０ｂ                    他方端
１１                      柔軟性ネット
１２                      スライダパイプ
１２ａ                    拡径部
１２ｂ                    ノブ
１３                      パイプハウジング
１４                      シールリング
１５                      ピン
１６                      操作ロープ
１６ａ                    先端リング部
１７                      コイルバネ
２０                      支持枠体
【図１】
0004114775.tif 000002
【図２】
0004114775.tif 000003
【図３】
0004114775.tif 000004
【図４】
0004114775.tif 000005
【図５】
0004114775.tif 000006